(57)【要約】【課題】周波数が急激に変わる時に起こるピーキング現象を防止して内部素子を保護できる基準信号発生器及びＬＣＤバックライト用ＰＷＭ制御回路を提供する。【解決手段】本発明の基準信号発生器は、ロード制御信号ＳＬＣによって漸次変化する可変抵抗を提供する抵抗可変部１００と、抵抗可変部１００の可変抵抗に応じて漸次変化する可変電流の生成を調節する電流調節部２００と、漸次変化する可変電流を生成する電流生成部３００と、可変電流によって充電電圧が第１基準電圧Ｖｒｅｆ１に到達するまで充電を制御し、充電電圧が第１基準電圧Ｖｒｅｆ１に到達すると、放電を開始して第２基準電圧Ｖｒｅｆ２に到達するまで放電を制御し、初期駆動終了信号または保護信号の入力時に周波数が漸次変化する周波数バッファリング区間を有する三角波形の基準信号を生成する基準信号生成部４００とを含むことを特徴とする。【選択図】図１
2011061755.tif 000002
【特許請求の範囲】
【請求項１】
初期駆動終了信号と保護信号の論理和によるロード制御信号によって、ソフト周波数変更のために漸次変化する可変抵抗を提供する抵抗可変部と、
前記抵抗可変部によって提供された可変抵抗によって、漸次変化する可変電流の生成を調節する電流調節部と、
前記電流調節部の調節によって漸次変化する可変電流を生成する電流生成部と、
前記電流生成部によって生成された可変電流によって充電電圧が第１基準電圧に到達するまで充電を制御し、前記充電電圧が前記第１基準電圧に到達すると、放電を開始して第２基準電圧に到達するまで放電を制御し、前記初期駆動終了信号または前記保護信号の入力時に周波数が漸次変化する周波数バッファリング区間を有する三角波形の基準信号を生成する基準信号生成部と
を含むことを特徴とする基準信号発生器。
【請求項２】
前記抵抗可変部は、
前記ロード制御信号がローレベルの初期駆動終了信号である場合は、高い初期駆動周波数から低い正常駆動周波数まで漸次低くなるソフト周波数変更のために、漸次変化する可変抵抗を提供することを特徴とする請求項１に記載の基準信号発生器。
【請求項３】
前記抵抗可変部は、
前記ロード制御信号がハイレベルの保護信号である場合は、低い正常駆動周波数から高い保護駆動周波数まで漸次高くなるソフト周波数変更のために、漸次変化する可変抵抗を提供することを特徴とする請求項１または請求項２に記載の基準信号発生器。
【請求項４】
前記抵抗可変部は、
第１電源電圧端に連結された一端と他端とを有する第１抵抗と、
前記第１抵抗の他端に連結されたカソードとアノードとを有する第１ダイオードと、
前記第１ダイオードのアノードに連結された一端と他端とを有する第２抵抗と、
前記第２抵抗の他端と接地との間に連結された第３抵抗と、
前記第１抵抗と前記第１ダイオードとの間の第１接続ノードに連結された一端と他端とを有する第４抵抗と、
前記第４抵抗の他端と接地との間に連結された第１キャパシタと、
前記第１キャパシタに並列に連結され、前記ロード制御信号がハイレベルである時にオンされ、前記ロード制御信号がローレベルである時にオフされる電圧可変スイッチと
を含むことを特徴とする請求項１乃至請求項３のいずれか１項に記載の基準信号発生器。
【請求項５】
前記電流調節部は、
前記ロード制御信号が初期駆動終了信号である場合は、前記第２抵抗と前記第３抵抗との間の検出ノードに流れる電流に応じて、漸次減少する可変電流を生成するように調節することを特徴とする請求項４に記載の基準信号発生器。
【請求項６】
前記電流調節部は、
前記ロード制御信号が保護信号である場合は、前記第２抵抗と前記第３抵抗との間の検出ノードに流れる電流に応じて、漸次増加する可変電流を生成するように調節することを特徴とする請求項４または請求項５に記載の基準信号発生器。
【請求項７】
前記電流生成部は、
第２電源電圧端に連結され、前記電流調節部の調節によって充電用電流を可変生成する第１電流源と、
前記第１電流源と接地との間に直列に連結され、前記電流調節部の調節によって放電用電流を可変生成する第２電流源と
を含むことを特徴とする請求項１乃至請求項６のいずれか１項に記載の基準信号発生器。
【請求項８】
前記第２電流源は、
前記第１電流源によって生成される電流よりも高い電流を生成することを特徴とする請求項７に記載の基準信号発生器。
【請求項９】
前記第２電流源は、
前記第１電流源によって生成される電流の２倍の電流を生成することを特徴とする請求項７に記載の基準信号発生器。
【請求項１０】
前記基準信号生成部は、
前記第１電流源と接地との間に連結され、前記第１電流源によって生成された電流を充電する充電キャパシタと、
前記第１電流源と前記充電キャパシタとの間の接続ノードと前記第２電流源との間に連結され、三角波形の基準信号生成のためにスイッチング制御信号によってオン／オフ動作が行われ、前記充電キャパシタの充電のためにオフされ、前記充電キャパシタの放電のためにオンされる充放電スイッチと、
前記電流生成部によって生成された可変電流によって前記充電キャパシタに充電された充電電圧と前記第１基準電圧とを比較して、前記充電電圧が前記第１基準電圧より高いときにはハイレベルを出力する第１比較器と、
前記充電キャパシタの充電電圧と前記第２基準電圧とを比較して、前記充電電圧が前記第２基準電圧より低いときにはハイレベルを出力する第２比較器と、
前記第１比較器からのハイレベルによってリセットされ、前記第２比較器からのハイレベルによってセットされ、リセット時に放電制御のためのスイッチング制御信号を出力し、セット時に充電制御のためのスイッチング制御信号を出力するラッチ部と
を含むことを特徴とする請求項７乃至請求項９のいずれか１項に記載の基準信号発生器。
【請求項１１】
初期駆動終了信号と保護信号の論理和によるロード制御信号によって、ソフト周波数変更のために漸次変化する可変抵抗を提供する抵抗可変部と、
前記抵抗可変部によって提供された可変抵抗によって、漸次変化する可変電流の生成を調節する電流調節部と、
前記電流調節部の調節によって漸次変化する可変電流を生成する電流生成部と、
前記電流生成部によって生成された可変電流によって充電電圧が第１基準電圧に到達するまで充電を制御し、前記充電電圧が前記第１基準電圧に到達すると、放電を開始して第２基準電圧に到達するまで放電を制御し、前記初期駆動終了信号または前記保護信号の入力時に周波数が漸次変化する周波数バッファリング区間を有する三角波形の基準信号を生成する基準信号生成部と、
前記基準信号生成部からの基準信号の入力を受ける反転入力端と、誤差増幅器電圧及びソフト開始電圧の入力を受ける二つの非反転入力端とを含み、前記基準信号、前記誤差増幅器電圧及び前記ソフト開始電圧を比較してパルス幅変調信号を出力するＰＷＭ制御部と
を含むことを特徴とするＬＣＤバックライト用ＰＷＭ制御回路。
【請求項１２】
前記抵抗可変部は、
前記ロード制御信号がローレベルの初期駆動終了信号である場合は、高い初期駆動周波数から低い正常駆動周波数まで漸次低くなるソフト周波数変更のために、漸次変化する可変抵抗を提供することを特徴とする請求項１１に記載のＬＣＤバックライト用ＰＷＭ制御回路。
【請求項１３】
前記抵抗可変部は、
前記ロード制御信号がハイレベルの保護信号である場合は、低い正常駆動周波数から高い保護駆動周波数まで漸次高くなるソフト周波数変更のために、漸次変化する可変抵抗を提供することを特徴とする請求項１１または請求項１２に記載のＬＣＤバックライト用ＰＷＭ制御回路。
【請求項１４】
前記抵抗可変部は、
第１電源電圧端に連結された一端と他端とを有する第１抵抗と、
前記第１抵抗の他端に連結されたカソードとアノードとを有する第１ダイオードと、
前記第１ダイオードのアノードに連結された一端と他端とを有する第２抵抗と、
前記第２抵抗の他端と接地との間に連結された第３抵抗と、
前記第１抵抗と前記第１ダイオードとの間の第１接続ノードに連結された一端と他端とを有する第４抵抗と、
前記第４抵抗の他端と接地との間に連結された第１キャパシタと、
前記第１キャパシタに並列に連結され、前記ロード制御信号がハイレベルである時にオンされ、前記ロード制御信号がローレベルである時にオフされる電圧可変スイッチと
を含むことを特徴とする請求項１１乃至請求項１３のいずれか１項に記載のＬＣＤバックライト用ＰＷＭ制御回路。
【請求項１５】
前記電流調節部は、
前記ロード制御信号が初期駆動終了信号である場合は、前記第２抵抗と前記第３抵抗との間の検出ノードに流れる電流に応じて、漸次減少する可変電流を生成するように調節することを特徴とする請求項１４に記載のＬＣＤバックライト用ＰＷＭ制御回路。
【請求項１６】
前記電流調節部は、
前記ロード制御信号が保護信号である場合は、前記第２抵抗と前記第３抵抗との間の検出ノードに流れる電流に応じて、漸次増加する可変電流を生成するように調節することを特徴とする請求項１４または請求項１５に記載のＬＣＤバックライト用ＰＷＭ制御回路。
【請求項１７】
前記電流生成部は、
第２電源電圧端に連結され、前記電流調節部の調節によって充電用電流を可変生成する第１電流源と、
前記第１電流源と接地との間に直列に連結され、前記電流調節部の調節によって放電用電流を可変生成する第２電流源と
を含むことを特徴とする請求項１１乃至請求項１６のいずれか１項に記載のＬＣＤバックライト用ＰＷＭ制御回路。
【請求項１８】
前記第２電流源は、
前記第１電流源によって生成される電流よりも高い電流を生成することを特徴とする請求項１７に記載のＬＣＤバックライト用ＰＷＭ制御回路。
【請求項１９】
前記第２電流源は、
前記第１電流源によって生成される電流の２倍の電流を生成することを特徴とする請求項１７に記載のＬＣＤバックライト用ＰＷＭ制御回路。
【請求項２０】
前記基準信号生成部は、
前記第１電流源と接地との間に連結され、前記第１電流源によって生成された電流を充電する充電キャパシタと、
前記第１電流源と前記充電キャパシタとの間の接続ノードと前記第２電流源との間に連結され、三角波形の基準信号生成のためにスイッチング制御信号によってオン／オフ動作が行われ、前記充電キャパシタの充電のためにオフされ、前記充電キャパシタの放電のためにオンされる充放電スイッチと、
前記電流生成部によって生成された可変電流によって前記充電キャパシタに充電された充電電圧と前記第１基準電圧とを比較して、前記充電電圧が前記第１基準電圧より高いときにはハイレベルを出力する第１比較器と、
前記充電キャパシタの充電電圧と前記第２基準電圧とを比較して、前記充電電圧が前記第２基準電圧より低いときにはハイレベルを出力する第２比較器と、
前記第１比較器からのハイレベルによってリセットされ、前記第２比較器からのハイレベルによってセットされ、リセット時に放電制御のためのスイッチング制御信号を出力し、セット時に充電制御のためのスイッチング制御信号を出力するラッチ部と
を含むことを特徴とする請求項１７乃至請求項１９のいずれか１項に記載のＬＣＤバックライト用ＰＷＭ制御回路。
【発明の詳細な説明】
【技術分野】
【０００１】
本発明は、ＬＣＤバックライト用インバータに適用可能な基準信号発生器及びＬＣＤバックライト用ＰＷＭ制御回路に関し、特に、初期駆動から正常駆動への変更や、正常駆動から保護駆動への変更などの駆動モードの変更時に、周波数バッファリング区間を挿入することによって基準信号の周波数をソフトに変更することができる基準信号発生器及びＬＣＤバックライト用ＰＷＭ制御回路に関する。
【背景技術】
【０００２】
一般的に、ＣＣＦＬ（Ｃｏｌｄ  Ｃａｔｈｏｄｅ  Ｆｌｕｏｒｅｓｃｅｎｔ  Ｌａｍｐ、冷陰極蛍光ランプ）が適用されたＬＣＤ（Ｌｉｑｕｉｄ  Ｃｒｙｓｔａｌ  Ｄｉｓｐｌａｙ、液晶表示装置）ＴＶやＬＣＤモニタに使用されているバックライトインバータは、内部素子を保護するための様々な保護回路を含んでいる。
【０００３】
近年、ＴＶ及びモニタの品質向上のために、より精密な保護回路の設計が要求されている。例えば、初期にＣＣＦＬ（以下、ランプ）を駆動するためには、正常周波数より高い周波数で強く点灯し、ある程度の時間後に安定化すると、周波数を正常周波数に下げている。
【０００４】
また、ランプの異常動作時にも、正常周波数より高い周波数で動作させて、ランプの開放された部分及びトランスフォーマを保護している。
【０００５】
ところが、このような駆動方法では、ランプの仕様及び駆動電流によって、初期ランプの高い周波数出力時間を制御する必要があり、高い周波数から低い周波数への急激な周波数の変換時または低い周波数から高い周波数への急激な周波数の変換時に、ランプやトランスフォーマ等の内部素子が損傷を受ける恐れがあるという問題点がある。
【発明の概要】
【発明が解決しようとする課題】
【０００６】
本発明は、上記の問題点を解決するためになされたものであり、その目的は、初期駆動から正常駆動への変更や、正常駆動から保護駆動への変更などの駆動モードの変更時に、周波数バッファリング区間を挿入することによって基準信号の周波数をソフトに変更することができ、これによって急激な駆動周波数の変動を減らしてピーキング発生を抑制することができる基準信号発生器及びＬＣＤバックライト用ＰＷＭ制御回路を提供することにある。
【課題を解決するための手段】
【０００７】
上記目的を達成するために、本発明の第１の技術的側面は、初期駆動終了信号と保護信号の論理和によるロード制御信号によって、ソフト周波数変更のために漸次変化する可変抵抗を提供する抵抗可変部と、前記抵抗可変部によって提供された可変抵抗によって、漸次変化する可変電流の生成を調節する電流調節部と、前記電流調節部の調節によって漸次変化する可変電流を生成する電流生成部と、前記電流生成部によって生成された可変電流によって充電電圧が第１基準電圧に到達するまで充電を制御し、前記充電電圧が前記第１基準電圧に到達すると、放電を開始して第２基準電圧に到達するまで放電を制御し、前記初期駆動終了信号または前記保護信号入力時に周波数が漸次変化する周波数バッファリング区間を有する三角波形の基準信号を生成する基準信号生成部とを含む基準信号発生器を提案する。
【０００８】
また、本発明の第２の技術的側面は、初期駆動終了信号と保護信号の論理和によるロード制御信号によって、ソフト周波数変更のために漸次変化する可変抵抗を提供する抵抗可変部と、前記抵抗可変部によって提供された可変抵抗によって、漸次変化する可変電流の生成を調節する電流調節部と、前記電流調節部の調節によって漸次変化する可変電流を生成する電流生成部と、前記電流生成部によって生成された可変電流によって充電電圧が第１基準電圧に到達するまで充電を制御し、前記充電電圧が前記第１基準電圧に到達すると、放電を開始して第２基準電圧に到達するまで放電を制御し、前記初期駆動終了信号または前記保護信号入力時に周波数が漸次変化する周波数バッファリング区間を有する三角波形の基準信号を生成する基準信号生成部と、前記基準信号生成部からの基準信号の入力を受ける反転入力端と、誤差増幅器電圧及びソフト開始電圧の入力を受ける二つの非反転入力端とを含み、前記基準信号、前記誤差増幅器電圧及び前記ソフト開始電圧を比較してパルス幅変調信号を出力するＰＷＭ制御部とを含むＬＣＤバックライト用ＰＷＭ制御回路を提案する。
【０００９】
本発明の第１及び第２の技術的側面において、前記抵抗可変部は、前記ロード制御信号がローレベルの初期駆動終了信号である場合は、高い初期駆動周波数から低い正常駆動周波数まで漸次低くなるソフト周波数変更のために、漸次変化する可変抵抗を提供することを特徴とする。
【００１０】
前記抵抗可変部は、前記ロード制御信号がハイレベルの保護信号である場合は、低い正常駆動周波数から高い保護駆動周波数まで漸次高くなるソフト周波数変更のために、漸次変化する可変抵抗を提供することを特徴とする。
【００１１】
前記抵抗可変部は、第１電源電圧端に連結された一端と他端とを有する第１抵抗と、前記第１抵抗の他端に連結されたカソードとアノードとを有する第１ダイオードと、前記第１ダイオードのアノードに連結された一端と他端とを有する第２抵抗と、前記第２抵抗の他端と接地との間に連結された第３抵抗と、前記第１抵抗と前記第１ダイオードとの間の第１接続ノードに連結された一端と他端とを有する第４抵抗と、前記第４抵抗の他端と接地との間に連結された第１キャパシタと、前記第１キャパシタに並列に連結され、前記ロード制御信号がハイレベルである時にオンされ、前記ロード制御信号がローレベルである時にオフされる電圧可変スイッチとを含むことを特徴とする。
【００１２】
前記電流調節部は、ロード制御信号が初期駆動終了信号である場合は、前記第２抵抗と前記第３抵抗との間の検出ノードに流れる電流に応じて、漸次減少する可変電流を生成するように調節することを特徴とする。
【００１３】
前記電流調節部は、ロード制御信号が保護信号である場合は、前記第２抵抗と前記第３抵抗との間の検出ノードに流れる電流に応じて、漸次増加する可変電流を生成するように調節することを特徴とする。
【００１４】
前記電流生成部は、第２電源電圧端に連結され、前記電流調節部の調節によって充電用電流を可変生成する第１電流源と、前記第１電流源と接地との間に直列に連結され、前記電流調節部の調節によって放電用電流を可変生成する第２電流源とを含むことを特徴とする。
【００１５】
前記第２電流源は、前記第１電流源によって生成される電流よりも高い電流を生成してもよく、具体例としては前記第１電流源によって生成される電流の２倍の電流を生成することができる。
【００１６】
前記基準信号生成部は、前記第１電流源と接地との間に連結され、前記第１電流源によって生成された電流を充電する充電キャパシタと、前記第１電流源と前記充電キャパシタとの間の接続ノードと前記第２電流源との間に連結され、三角波形の基準信号生成のためにスイッチング制御信号によってオン／オフ動作が行われ、前記充電キャパシタの充電のためにオフされ、前記充電キャパシタの放電のためにオンされる充放電スイッチと、前記電流生成部によって生成された可変電流によって前記キャパシタに充電された充電電圧と前記第１基準電圧とを比較して、前記充電電圧が前記第１基準電圧より高いときにはハイレベルを出力する第１比較器と、前記キャパシタの充電電圧と前記第２基準電圧とを比較して、前記充電電圧が前記第２基準電圧より低いときにはハイレベルを出力する第２比較器と、前記第１比較器からのハイレベルによってリセットされ、前記第２比較器からのハイレベルによってセットされ、リセット時に放電制御のためのスイッチング制御信号を出力し、セット時に充電制御のためのスイッチング制御信号を出力するラッチ部とを含むことを特徴とする。
【発明の効果】
【００１７】
本発明によれば、初期駆動から正常駆動への変更や、正常駆動から保護駆動への変更などの駆動モードの変更時に、周波数バッファリング区間を挿入することによって基準信号の周波数をソフトに変更することができ、急激な駆動周波数の変動を減らしてピーキング発生を抑制することができるので、これによって内部素子を保護することができるという効果がある。
【図面の簡単な説明】
【００１８】
【図１】本発明に係る基準信号発生器及びＬＣＤバックライト用ＰＷＭ制御回路の回路構成を示すブロック図である。
【図２】本発明の電流調節部の動作を示すフローチャートである。
【図３】本発明の基準信号生成部によって生成された基準信号の波形図である。
【図４】本発明の電流調節部による調節に応じて変化する基準信号の周波数変化図である。
【図５】本発明の主要信号に対するタイミングチャートである。
【発明を実施するための形態】
【００１９】
以下、添付した図面を参照して本発明の実施例を詳しく説明する。
【００２０】
本発明は後述する実施例に限定されるわけではなく、本発明の実施例は、本発明の技術的思想を容易に理解するために使用される。本発明の図面において、実質的に同じ構成と機能を有する構成要素には同じ符号を付している。
【００２１】
図１は、本発明に係る基準信号発生器及びＬＣＤバックライト用ＰＷＭ制御回路の回路構成を示すブロック図である。図１を参照すると、本発明に係る基準信号発生器は、初期駆動終了信号と保護信号の論理和によるロード制御信号ＳＬＣに応じて、周波数をソフトに変更するために漸次変化する可変抵抗を提供する抵抗可変部１００と、抵抗可変部１００によって提供された可変抵抗によって漸次変化する可変電流の生成を調節する電流調節部２００と、電流調節部２００の調節によって漸次変化する可変電流を生成する電流生成部３００と、電流生成部３００によって生成された可変電流によって充電電圧が第１基準電圧Ｖｒｅｆ１に到達するまで充電を制御し、充電電圧が第１基準電圧Ｖｒｅｆ１に到達すると、放電を開始して第２基準電圧Ｖｒｅｆ２に到達するまで放電を制御して、初期駆動終了信号または保護信号の入力時には、周波数が漸次変化する周波数バッファリング区間を有する三角波形の基準信号を生成する基準信号生成部４００とを含んでいる。
【００２２】
また、本発明のＬＣＤバックライト用ＰＷＭ制御回路は、上述した基準信号発生器にＰＷＭ制御部５００をさらに含んでいる。ＰＷＭ制御部５００は、基準信号生成部４００から基準信号ＳＲＥＦの入力を受ける反転入力端と、誤差増幅器電圧ＳＥＡ及びソフト開始電圧ＳＳの入力を受ける二つの非反転入力端とを含み、基準信号ＳＲＥＦ、誤差増幅器電圧ＳＥＡ及びソフト開始電圧ＳＳを比較してパルス幅変調（ＰＷＭ）信号を出力する。
【００２３】
抵抗可変部１００は、ロード制御信号ＳＬＣがローレベルの初期駆動終了信号である場合には、高い初期駆動周波数から低い正常駆動周波数へ漸次低くなるソフト周波数変更のために、漸次変化する可変抵抗を提供する。ここで、初期駆動終了信号は、ソフトスタート区間（図５のＴ１）を初期駆動とし、このソフトスタート区間Ｔ１が終わる時点を表している。
【００２４】
また、抵抗可変部１００は、ロード制御信号ＳＬＣがハイレベルの保護信号である場合には、低い正常駆動周波数から高い保護駆動周波数へ漸次高くなるソフト周波数変更のために、漸次変化する可変抵抗を提供する。ここで、保護信号は、ランプ開放などの異常発生時に内部素子を保護するための信号を表している。
【００２５】
一つの例として、抵抗可変部１００は、第１電源電圧Ｖｄｄ１端に連結された一端と他端とを有する第１抵抗Ｒ１１と、第１抵抗Ｒ１１の他端に連結されたカソードとアノードとを有する第１ダイオードＤ１１と、第１ダイオードＤ１１のアノードに連結された一端と他端とを有する第２抵抗Ｒ１２と、第２抵抗Ｒ１２の他端と接地との間に連結された第３抵抗Ｒ１３と、第１抵抗Ｒ１１と第１ダイオードＤ１１との間の第１接続ノードＮ１に連結された一端と他端とを有する第４抵抗Ｒ１４と、第４抵抗Ｒ１４の他端と接地との間に連結された第１キャパシタＣ１１と、第１キャパシタＣ１１に並列に連結され、ロード制御信号ＳＬＣがハイレベルである時にオンされ、ロード制御信号ＳＬＣがローレベルである時にオフされる電圧可変スイッチＳＷ１１とを含んでいる。
【００２６】
電流調節部２００は、ロード制御信号ＳＬＣが初期駆動終了信号である場合は、第２抵抗Ｒ１２と第３抵抗Ｒ１３との間の検出ノードＮ２にかかる可変電圧に応じて、漸次減少する可変電流の生成を調節する。
【００２７】
電流調節部２００は、ロード制御信号ＳＬＣが保護信号である場合は、第２抵抗Ｒ１２と第３抵抗Ｒ１３との間の検出ノードＮ２にかかる可変電圧に応じて、漸次増加する可変電流の生成を調節する。
【００２８】
図２は、本発明の電流調節部の動作を示すフローチャートである。図２を参照すると、抵抗可変部１００の抵抗が変化することによって抵抗可変部１００に流れる電流が変化するが、電流調節部２００はこのような電流Ｉｄを検出する（Ｓ２１０）。検出した結果、検出電流Ｉｄが既設定の最大基準電流（Ｉｒｅｆ−ｍａｘ）と等しい場合は、最大電流（Ｉｍａｘ）を生成するように調節し（Ｓ２２０、Ｓ２３０）、検出電流Ｉｄが既設定の最大基準電流（Ｉｒｅｆ‐ｍａｘ）より低く既設定の最小電流（Ｉｒｅｆ‐ｍｉｎ）より高い場合には、検出電流Ｉｄの大きさに応じて電流を生成するように調節し（Ｓ２４０、Ｓ２５０）、そして検出電流Ｉｄが最小電流（Ｉｒｅｆ‐ｍｉｎ）と等しい場合は、最小電流（Ｉｍｉｎ）を生成するように調節する（Ｓ２６０）。
【００２９】
電流生成部３００は、第２電源電圧Ｖｄｄ２端に連結され、電流調節部２００の調節によって充電用電流を可変生成する第１電流源ＩＳ１と、第１電流源ＩＳ１と接地との間に直列に連結され、電流調節部２００の調節によって放電用電流を可変生成する第２電流源ＩＳ２とを含んでいる。
【００３０】
この時、第２電流源ＩＳ２は、充電時間よりも放電時間を短くするために、第１電流源ＩＳ１によって生成される電流よりも高い電流を生成するように設定されている。
【００３１】
一つの例として、第２電流源ＩＳ２は、第１電流源ＩＳ１によって生成される電流の２倍の電流を生成するように設定してもよい。
【００３２】
図３は、本発明の基準信号生成部４００によって生成される基準信号の波形図である。図３を参照すると、第２電流源ＩＳ２によって生成される電流が、第１電流源ＩＳ１によって生成される電流の２倍なので、第１電流源ＩＳ１によって生成される電流による充電時間を「Ｔ１」とすると、第２電流源ＩＳ２によって生成される電流による放電時間「Ｔ２」は、充電時間「Ｔ１」の１／２となる（Ｔ２＝１／２Ｔ１）。
【００３３】
基準信号生成部４００は、第１電流源ＩＳ１と接地との間に連結され、第１電流源ＩＳ１によって生成された電流を充電する充電キャパシタＣ４１と、第１電流源ＩＳ１と充電キャパシタＣ４１との間の接続ノードと第２電流源ＩＳ２との間に連結され、三角波形の基準信号を生成するためにスイッチング制御信号ＳＳＣによってオン／オフ動作が行われ、充電キャパシタＣ４１を充電するためにオフされ、充電キャパシタＣ４１を放電するためにオンされる充放電スイッチＳＷ４１と、電流生成部３００によって生成された可変電流によって充電キャパシタＣ４１に充電された充電電圧と第１基準電圧Ｖｒｅｆ１とを比較して、充電電圧が第１基準電圧Ｖｒｅｆ１より高い場合にはハイレベルを出力する第１比較器４１０と、充電キャパシタＣ４１の充電電圧と第２基準電圧Ｖｒｅｆ２とを比較して、充電電圧が第２基準電圧Ｖｒｅｆ２より低い場合にはハイレベルを出力する第２比較器４２０と、第１比較器４１０からのハイレベルによってリセットされ、第２比較器４２０からのハイレベルによってセットされ、リセット時に放電制御のためのスイッチング制御信号ＳＳＣを出力し、セット時に充電制御のためのスイッチング制御信号ＳＳＣを出力するラッチ部４３０とを含んでいる。
【００３４】
図４は、本発明の電流調節部２００による調節に応じて変化する基準信号の周波数変化図である。図４のＷＳ１、ＷＳ２及びＷＳ３のそれぞれにおいて、各放電時間Ｔ１２、Ｔ２２、Ｔ３２は充電時間Ｔ１１、Ｔ２１、Ｔ３１の半分に相当し、ＷＳ１は最も低い周波数を有する三角波であり、ＷＳ２は中間の周波数を有する三角波であり、ＷＳ３は最も高い周波数を有する三角波である。例えば、ＷＳ１は正常駆動（図５のＴ３）時における基準信号の三角波形に該当し、ＷＳ２は第１、第２バッファリング区間（図５のＴ２、Ｔ４）における基準信号の三角波形に該当し、ＷＳ３は初期駆動（図５のＴ１）時または保護駆動（図５のＴ５）時における基準信号の三角波形に該当することが可能である。
【００３５】
図５は、本発明の主要信号に対するタイミングチャートである。図５において、ＳＬＣはロード制御信号であって、初期駆動終了信号と保護信号との論理和によって生成され、初期駆動終了信号は初期駆動区間Ｔ１のハイレベルから遷移したローレベルを有する信号であり、保護信号は正常駆動区間Ｔ３のローレベルから遷移したハイレベルを有する信号である。
【００３６】
また、ＳＲＥＦは、初期駆動区間Ｔ１、第１バッファリング区間Ｔ２、正常駆動区間Ｔ３、第２バッファリング区間Ｔ４及び保護駆動区間Ｔ５で区別された周波数を有する三角波形の基準信号である。
【００３７】
そして、ランプ電流は、基準信号の初期駆動区間Ｔ１、第１バッファリング区間Ｔ２、正常駆動区間Ｔ３、第２バッファリング区間Ｔ４及び保護駆動区間Ｔ５のそれぞれにおいて、ＰＷＭ制御信号によってランプに流れる電流に該当する。
【００３８】
以下、添付した図面に基づいて本発明の作用及び効果を詳しく説明する。
【００３９】
図１乃至図５を参照して、本発明の基準信号発生器及びＬＣＤバックライト用ＰＷＭ制御回路について説明する。図１において、本発明のＬＣＤバックライト用ＰＷＭ制御回路は、基準信号発生器とＰＷＭ制御部５００とを含んでいる。
【００４０】
図１を参照すると、本発明の基準信号発生器の抵抗可変部１００は、初期駆動終了信号と保護信号の論理和であるロード制御信号ＳＬＣによって、ソフト周波数変更のために漸次変化する可変抵抗を提供する。
【００４１】
ここで、抵抗可変部１００で抵抗が変化すると、抵抗可変部１００の抵抗を通じて流れる電流も変化する。
【００４２】
続いて、本発明の電流調節部２００は、抵抗可変部１００によって提供された可変抵抗に流れる電流が変化すると、抵抗可変部１００を通じて流れる電流の変化に応じて、電流生成部３００で生成される可変電流を漸次変化させる。
【００４３】
例えば、抵抗可変部１００の抵抗が徐々に上昇すれば、この抵抗の上昇によって徐々に減少する電流を検出して、電流生成部３００において電流生成が減少するように調節する。逆に、抵抗可変部１００の抵抗が徐々に減少すれば、この抵抗の減少によって徐々に増加する電流を検出して、電流生成部３００において電流生成が増加するように調節する。
【００４４】
次に、電流生成部３００は、電流調節部２００の調節によって漸次変化する可変電流を生成する。
【００４５】
即ち、電流生成部３００は、電流調節部２００の調節によって、高速充放電のために電流を増加させるか、または低速充放電のために電流を減少させる。
【００４６】
そして、基準信号生成部４００は、電流生成部３００によって生成された可変電流による充電電圧が第１基準電圧Ｖｒｅｆ１に到達するまで充電を制御し、充電電圧が第１基準電圧Ｖｒｅｆ１に到達すると、放電を開始して第２基準電圧Ｖｒｅｆ２に到達するまで放電を制御して、初期駆動終了信号または保護信号の入力時に、周波数が漸次変化する周波数バッファリング区間を有する三角波形の基準信号を生成する。
【００４７】
具体的に説明すると、基準信号生成部４００の充電キャパシタＣ４１は、充放電スイッチＳＷ４１のオフ時に第１電流源ＩＳ１の電流を充電する。第１比較器４１０は、電流生成部３００によって生成された可変電流によって充電キャパシタＣ４１に充電された充電電圧と第１基準電圧Ｖｒｅｆ１とを比較して、充電電圧が第１基準電圧Ｖｒｅｆ１より高いとハイレベルをラッチ部４３０のリセット端に出力する。この時、ラッチ部４３０は、充放電スイッチＳＷ４１をオンして充電キャパシタＣ４１に充電された電圧を放電する。
【００４８】
続いて、充電キャパシタＣ４１で放電が行われながら、第２比較器４２０は、充電キャパシタＣ４１の充電電圧と第２基準電圧Ｖｒｅｆ２とを比較して、充電電圧が第２基準電圧Ｖｒｅｆ２より低くなると、ハイレベルをラッチ部４３０のセット端に出力する。この時、ラッチ部４３０は、充放電スイッチＳＷ４１をオフして充電キャパシタＣ４１に充電されるように制御する。
【００４９】
このような充電動作と放電動作を通じて、図４に示すように、三角波形の基準信号ＳＲＥＦが生成される。この時、基準信号の周波数は充電及び放電時間が早くなれば高くなり（図４のＷＳ１→ＷＳ２→ＷＳ３）、充電及び放電時間が遅くなれば周波数は低くなる（図４のＷＳ３→ＷＳ２→ＷＳ１）。
【００５０】
また、本発明のＬＣＤバックライト用ＰＷＭ制御回路がＰＷＭ制御部５００を含んでいる場合、ＰＷＭ制御部５００は、基準信号生成部４００からの基準信号ＳＲＥＦの入力を受ける反転入力端と、誤差増幅器電圧ＳＥＡの入力を受ける非反転入力端と、ソフト開始電圧ＳＳの入力を受ける非反転入力端とを含んでいる。そして、非反転入力端に入力された誤差増幅器電圧ＳＥＡ及びソフト開始電圧ＳＳのうちの低い電圧と基準信号ＳＲＥＦとを比較して、この比較結果に該当するパルス幅を有するパルス幅変調（ＰＷＭ）信号を出力する。
【００５１】
このように、電流調節部２００による電流調節を通じて充放電時間が調節され、これによって基準信号の周波数が調節される。以下、第１電源電圧Ｖｄｄ１が５Ｖであり、抵抗可変部１００の検出ノードＮ２の電圧Ｖ２が３Ｖに設定されている場合、駆動区間毎に区分して本発明の動作をより詳しく説明する。
【００５２】
先ず、図５に示す初期駆動区間（図５のＴ１区間）では、ロード制御信号ＳＬＣがハイレベルの信号となり、図１において抵抗可変部１００の電圧可変スイッチＳＷ１１がオンされ、第１抵抗Ｒ１１と第１ダイオードＤ１１との間の第１接続ノードＮ１が電圧可変スイッチＳＷ１１を介して接地されるので、第１ダイオードＤ１１はターンオンされて、電流調節部２００から第２抵抗Ｒ１２、第４抵抗Ｒ１４及び電圧可変スイッチＳＷ１１を介して第１電流Ｉ１が流れると同時に、第３抵抗Ｒ１３を介して第２電流Ｉ２が流れる。この時、第１電流Ｉ１及び第２電流Ｉ２の合算電流に該当する検出電流Ｉｄが最大電流であるので、電流調節部２００は最大電流（Ｉｍａｘ）を生成するように電流生成部３００を調節する。
【００５３】
次に、図５に示す初期駆動終了信号（図５のＴ２区間）でロード制御信号ＳＬＣがローレベルの信号になると、図１において抵抗可変部１００の電圧可変スイッチＳＷ１１がオフされる。これによって第１抵抗Ｒ１１と第１ダイオードＤ１１との間の第１接続ノードＮ１の電圧が漸次上昇し、第１ダイオードＤ１１を介して流れる第１電流Ｉ１は漸次減少する。それと同時に、第３抵抗Ｒ１３を介して第２電流Ｉ２が流れる。この時、第１電流Ｉ１及び第２電流Ｉ２の合算電流に該当する検出電流Ｉｄが最大電流より漸次低くなる。
【００５４】
即ち、抵抗可変部１００は、初期駆動終了信号によってロード制御信号ＳＬＣがローレベルになると、高い初期駆動周波数から低い正常駆動周波数まで漸次低くなるソフト周波数変更のために、漸次高くなる可変抵抗を提供する。これによって、抵抗が徐々に高くなるので、電流は漸次減少する。
【００５５】
これによって、電流調節部２００は、ロード制御信号ＳＬＣが初期駆動終了信号である場合には、第２抵抗Ｒ１２と第３抵抗Ｒ１３との間の検出ノードＮ２にかかる可変電圧に応じて、最大電流（Ｉｍａｘ）から漸次減少する可変電流を生成するように電流生成部３００を調節する。
【００５６】
次に、図５に示す正常駆動区間（図５のＴ３区間）で、ロード制御信号ＳＬＣがローレベルの信号である時に、図１において抵抗可変部１００の電圧可変スイッチＳＷ１１がオフされた状態で、第１抵抗Ｒ１１と第１ダイオードＤ１１との間の第１接続ノードＮ１の電圧が高くなって、第１ダイオードＤ１１がターンオフされると、第１ダイオードＤ１１を介して第１電流Ｉ１が流れなくなる。この時、第３抵抗Ｒ１３を介して第２電流Ｉ２だけが流れる。よって、第２電流Ｉ２に該当する検出電流Ｉｄが最小電流になるので、電流調節部２００は最小電流（Ｉｍｉｎ）を生成するように電流生成部３００を調節する。
【００５７】
次に、図５に示す保護信号（図５のＴ４区間）開始時点では、ロード制御信号ＳＬＣがハイレベルの信号になるので、図１において抵抗可変部１００の電圧可変スイッチＳＷ１１がオンされ、電圧可変スイッチＳＷ１１を介して第１接続ノードＮ１の電圧が放電される。これによって、第１抵抗Ｒ１１と第１ダイオードＤ１１との間の第１接続ノードＮ１の電圧が漸次減少し、その後、第１ダイオードＤ１１がターンオンされ、第１ダイオードＤ１１を介して流れる第１電流Ｉ１は漸次増加する。それと同時に、第３抵抗Ｒ１３を介して第２電流Ｉ２が流れる。この時、第１電流Ｉ１及び第２電流Ｉ２の合算電流に該当する検出電流Ｉｄは、最小電流から最大電流まで漸次増加することになる。
【００５８】
即ち、抵抗可変部１００は、ロード制御信号ＳＬＣがハイレベルの保護信号である場合、低い正常駆動周波数から高い保護駆動周波数まで漸次高くなるソフト周波数変更のために、漸次低くなる可変抵抗を提供する。これによって、抵抗可変部１００の抵抗が低くなるので、抵抗可変部１００の抵抗を介して流れる電流は増加する。
【００５９】
これによって、電流調節部２００は、ロード制御信号ＳＬＣが保護信号である場合は、第２抵抗Ｒ１２と第３抵抗Ｒ１３との間の検出ノードＮ２にかかる可変電圧によって、最小電流（Ｉｍｉｎ）から漸次増加する可変電流を生成するように電流生成部３００を調節する。
【００６０】
そして、図５に示す保護区間（図５のＴ５区間）では、ロード制御信号ＳＬＣがハイレベルの信号に維持されるので、図１において抵抗可変部１００の電圧可変スイッチＳＷ１１がオンされた状態で維持され、第１抵抗Ｒ１１と第１ダイオードＤ１１との間の第１接続ノードＮ１の電圧が最小に下降し、第１ダイオードＤ１１がターンオン状態を維持しながら第１ダイオードＤ１１を介して流れる第１電流Ｉ１は最大になる。それと同時に、第３抵抗Ｒ１３を介して第２電流Ｉ２が流れる。この時、第１電流Ｉ１及び第２電流Ｉ２の合算電流に該当する検出電流Ｉｄが最大電流になるので、電流調節部２００は最大電流を生成するように電流生成部３００を調節する。
【００６１】
図２を参照すると、電流調節部２００は、抵抗可変部１００の抵抗が変化することによって、抵抗可変部１００に流れる検出電流Ｉｄが変化するが、このような電流Ｉｄを検出して（Ｓ２１０）、検出電流Ｉｄが既設定の最大基準電流（Ｉｒｅｆ‐ｍａｘ）と等しい場合には最大電流（Ｉｍａｘ）を生成するように電流生成部３００を調節し（Ｓ２２０、Ｓ２３０）、検出電流Ｉｄが既設定の最大基準電流（Ｉｒｅｆ‐ｍａｘ）より低く既設定の最小電流（Ｉｒｅｆ‐ｍｉｎ）より高い場合には検出電流Ｉｄの大きさに応じて電流を生成するように電流生成部３００を調節し（Ｓ２４０、Ｓ２５０）、そして検出電流Ｉｄが最小電流（Ｉｒｅｆ‐ｍｉｎ）と等しい場合には最小電流（Ｉｍｉｎ）を生成するように電流生成部３００を調節する。
【００６２】
電流生成部３００の第１電流源ＩＳ１は、電流調節部２００の調節に応じて充電用電流を可変生成し、電流生成部３００の第２電流源ＩＳ２は、電流調節部２００の調節に応じて放電用電流を可変生成する。
【００６３】
この時、第２電流源ＩＳ２は、充電時間よりも放電時間を短くするために、第１電流源ＩＳ１によって生成される電流よりも高い電流を生成するように設定されている。一つの例として、第２電流源ＩＳ２は、第１電流源ＩＳ１によって生成される電流の２倍の電流を生成するようにしてもよい。
【００６４】
図３を参照すると、第２電流源ＩＳ２によって生成される電流が、第１電流源ＩＳ１によって生成される電流の２倍なので、第１電流源ＩＳ１によって生成される電流による充電時間を「Ｔ１」とすれば、第２電流源ＩＳ２によって生成される電流による放電時間「Ｔ２」は、充電時間「Ｔ１」の２分の１となる（Ｔ２＝１／２Ｔ１）。
【産業上の利用可能性】
【００６５】
上述したように、本発明は、初期駆動終了時点と正常駆動との間に第１バッファリング駆動区間を追加し、保護駆動開始時点と保護駆動との間に第２バッファリング駆動区間を追加したので、周波数が急激に変わる時に起こるピーキング現象を防止し、内部素子を保護することができる。
【符号の説明】
【００６６】
１００  抵抗可変部
２００  電流調節部
３００  電流生成部
４００  基準信号生成部
４１０  第１比較器
４２０  第２比較器
４３０  ラッチ部
５００  ＰＷＭ制御部
ＳＬＣ  ロード制御信号
ＩＳ１  第１電流源
ＩＳ２  第２電流源
ＳＷ１１  電圧可変スイッチ
ＳＷ４１  充放電スイッチ
Ｒ１１  第１抵抗
Ｒ１２  第２抵抗
Ｒ１３  第３抵抗
Ｒ１４  第４抵抗
Ｄ１１  第１ダイオード
Ｃ１１  第１キャパシタ
Ｃ４１  充電キャパシタ
【図１】
2011061755.tif 000003
【図２】
2011061755.tif 000004
【図３】
2011061755.tif 000005
【図４】
2011061755.tif 000006
【図５】
2011061755.tif 000007